(57)【要約】【課題】極めて容易に前記鳥害防止具を配電線に取り付けることができる取付け方法を提供する。【解決手段】横棒状本体１６の両端部に、配電線Ｂに係止自在なフック部１８を上端に有する吊り下げ腕１７を有する取付け治具１５を設け、当該取付け治具１５の前記横棒状本体１６に、予め線条体Ｃを、当該線条体Ｃの長手方向に一定間隔で各鳥害防止具Ａの上部の線条体取付け部７に係止して連結した複数の鳥害防止具Ａを並べて係止し、この状態で当該取付け治具１５を、横棒本体１６の両端のフック部１８を配電線Ｂに掛けて、当該取付け治具１５を配電線Ｂに移動自在に吊るし、当該取付け治具１５の進行方向と反対側の端部の鳥害防止具Ａから順に配電線Ｂに固定し、当該取付け治具１５を配電線Ｂに沿って滑らせて移動させ、前記線条体Ｃを配電線Ｂに平行に張った状態で次の鳥害防止具Ａを順に配電線Ｂに固定する。【選択図】      図２
2017175833.tif 000002
【特許請求の範囲】
【請求項１】
架空配電線に沿って複数の鳥害防止具を一定間隔で固定し、当該各鳥害防止具の上部に、前記配電線と間隔をあけて略平行に線条体を張った鳥害防止装置の取付け方法において、
横棒状本体の両端部に、配電線に係止自在なフック部を上端に有する吊り下げ腕を有する取付け治具を設け、
当該取付け治具の前記横棒状本体に、予め線条体を、当該線条体の長手方向に一定間隔で各鳥害防止具の上部の線条体取付け部に係止して連結した複数の鳥害防止具を並べて係止し、
この状態で当該取付け治具を、横棒本体の両端の吊り下げ腕のフック部を配電線に掛けて、当該取付け治具を配電線に移動自在に吊るし、
当該取付け治具の進行方向と反対側の端部の鳥害防止具から順に配電線に固定し、当該取付け治具を配電線に沿って移動させ、前記線条体を配電線に平行に張った状態で次の鳥害防止具を順に配電線に固定することを特徴とする、鳥害防止具の取付け方法。
【請求項２】
前記取付け治具に並べた、隣接する各鳥害防止具を連結する一定長の線条体を小さく束ねてクリップ又はテープで仮止めしたことを特徴とする、請求項１に記載の鳥害防止具の取付け方法。
【請求項３】
前記取付け治具の各吊り下げ腕に設けたフック部が開閉自在となっていることを特徴とする、請求項１又は２に記載の鳥害防止具の取付け方法。
【請求項４】
前記取付け治具は絶縁材から成ることを特徴とする、請求項１〜３のいずれかに記載の鳥害防止具の取付け方法。
【請求項５】
前記請求項１〜４のいずれかの方法に使用する取付け治具は、前記横棒状本体に長さ調整手段を有し、両側の吊り下げ腕に夫々長さ調整手段を有することを特徴とする、鳥害防止具の取付け治具。
【発明の詳細な説明】
【技術分野】
【０００１】
この発明は、架空配電線における鳥害防止具の取付け方法及びこの方法に使用する取付け治具に関するものである。
【背景技術】
【０００２】
この鳥害防止具としては、図４に示すように、電柱間に架設した配電線Ｂに沿って一定間隔で多数の鳥害防止具Ａを取り付け、各鳥害防止具Ａの上部に径の細い線条体Ｃを、前記配電線Ｂと一定の間隔をあけて略平行に張って取付けるものが多い。これにより、鳥が配電線Ｂに留まった際、前記線条体Ｃに鳥の体が当たるため、鳥が配電線Ｂに留まるのを防いでいる。
【０００３】
この種の鳥害防止具Ａは、特許文献１、２及び３に示すように、飛来する鳥の大きさによって、線条体Ｃと配電線Ｂとの間隔を大きくしたり、小さくしたりできるように、線条体Ｃの取り付け位置を変更できるように構成されている。そして、これらの特許文献１〜３に示す鳥害防止具Ａは、下部に電線取り付け部１、上部細い径の線条体取付け部７をそれぞれ有する構成となっている。
【０００４】
特に特許文献３の鳥害防止具Ａは、図５の（Ａ）、（Ｂ）図に示すように、前記電線取り付け部１は上片１ａと下片１ｂと、上片１ａと下片１ｂの一側をつなぐ縦片１ｃとから成り、これらで電線を囲むコ字型形状を成している。また、前記縦片１ｃの反対側は電線の取入れ口２となっており、当該取入れ口２からの電線の離脱を防止する扉３が開閉自在に取り付けられている。また、前記下片１ｂには上下を貫通する、内周ねじを有する挿通孔４が設けられ、この挿通孔４に、前記コ字型内に突出した上端に締め付け板５を水平回転自在に取付け、下端にねじ頭部６ａを有するねじ棒６が螺着、貫通されている。
【０００５】
また、当該鳥害防止具Ａの線条体取付け部７は、前記電線取り付け部１の上部から起立した２枚の起立板８、８が間隔をあけて相対向して設けられ、当該起立板８、８の同一位置に夫々ガイド孔９が設けられ、当該各ガイド孔９に規制されて移動、固定自在なワイヤー保持部１０が設けられている。このワイヤー保持部１０は、前記ガイド孔９の上端及び下端でそれぞれ固定自在で、前記線条体Ｃを前記２枚の起立板８、８間に入れて当該ワイヤー保持部１０の係止溝１１に前記線条体Ｃを係止する構成となっている。また、当該鳥害防止具Ａの前記電線取り付け部１の脇には、間接活線把持具で掴むときに使用する把持片１２を具備している。
【先行技術文献】
【特許文献】
【０００６】
【特許文献１】特許第３２１２９０７号公報
【特許文献２】特開２００２−１７６９０１号公報
【特許文献３】特開２００９−３９０５５号公報
【発明の開示】
【発明が解決しようとする課題】
【０００７】
しかしながら、特許文献３の鳥害防止具Ａを配電線に取り付けるには、上述のように配電線Ｂに多数の鳥害防止具Ａを配電線Ｂに沿って一定の間隔（例えば３ｍ）で一つ一つ取付け、さらに各鳥害防止具Ａに径の細い線条体Ｃを前記線条体取付け部７に取付ける細かい作業を高所でかつ活線状態で行うため、高所作業車のバケット内から作業者が絶縁防護服を着て、絶縁手袋をはめての作業では作業効率が非常に悪い。特に夏場での作業環境では、作業服内の温度が上昇することで体温が上がり、作業者は汗だくで作業をおこない、疲労感が多い。また、間接活線工具を用いての作業では、絶縁防護服などを着用しなくても良いが、高所作業車のバケット内での細かい作業を行わなければならず、仮に細かい作業を地上で行い高所作業車へ引き上げる際にも、風で舞い上がったり、垂れ下がったり、他物に巻き付く恐れがあり、作業がしづらい等の問題がある。  これらの問題は上記特許文献１及び２についても同様である。
【０００８】
そこで、この発明は、これらの問題点に鑑みて発明されたもので、極めて容易に前記鳥害防止具を電線に取り付けることができ、また、間接活線工具を用いて効率よく作業のできる取付け方法及びこの方法に使用する取付け治具を提供するものである。
【課題を解決するための手段】
【０００９】
請求項１の発明は、架空配電線に沿って複数の鳥害防止具を一定間隔毎に固定し、当該各鳥害防止具の上部に、前記配電線と間隔をあけて略平行に線条体を張った鳥害防止装置の取付け方法において、横棒状本体の両端部に、配電線に係止自在なフック部を上端に有する吊り下げ腕を有する取付け治具を設け、当該取付け治具の前記横棒状本体に、予め線条体を、当該線条体の長手方向に一定間隔で各鳥害防止具の上部の線条体取付け部に係止して連結した複数の鳥害防止具を並べて係止し、この状態で当該取付け治具を、横棒本体の両端の吊り下げ腕のフック部を配電線に掛けて、当該取付け治具を配電線に移動自在に吊るし、当該取付け治具の進行方向と反対側の端部の鳥害防止具から順に配電線に固定し、当該取付け治具を配電線に沿って移動させ、前記線条体を配電線に平行に張った状態で次の鳥害防止具を順に配電線に固定する、鳥害防止具の取付け方法とした。
【００１０】
また、請求項２の発明は、前記取付け治具に並べた、隣接する各鳥害防止具を連結する一定長の線条体を小さく束ねてクリップ又はテープで仮止めした、請求項１に記載の鳥害防止具の取付け方法とした。
【００１１】
また、請求項３の発明は、前記取付け治具の各吊り下げ腕に設けたフック部が開閉自在となっている、請求項１又は２に記載の鳥害防止具の取付け方法とした。
【００１２】
また、請求項４の発明は、前記取付け治具は絶縁材から成る、請求項１〜３のいずれかに記載の鳥害防止具の取付け方法とした。
【００１３】
また、請求項５の発明は、前記請求項１〜４のいずれかの方法に使用する取付け治具は、前記横棒状本体に長さ調整手段を有し、両側の吊り下げ腕に夫々長さ調整手段を有する、鳥害防止具の取付け治具とした。
【発明の効果】
【００１４】
請求項１の発明によれば、予め地上で複数の隣接する鳥害防止具に、その上部に線条体を一定間隔で連結固定して、これらの線条体で連結された複数の鳥害防止具を取付け治具に並べて取り付けているため、配電線上では、当該取付け治具から一つ一つ鳥害防止具を取り外して配電線に固定すればよく、更に、各鳥害防止具の配電線への取付け間隔も、線条体を伸ばした位置で取り付ければ良いため、複数の鳥害防止具の取り付け作業が極めて容易かつ迅速に行える。また、取り付け作業も複数の各鳥害防止具を配電線に固定するだけで良い。すなわち、鳥害防止具の配電線への取付けは、電線取り付け部の扉を開けた状態で電線をコ字型内に入れ、扉を閉めてねじ頭部を締め付ければ完了する。従って、複雑な又は細かい作業が要らず、間接活線工具を使って効率よく安全な作業をすることができる。
【００１５】
請求項２の発明によれば、隣接する鳥害防止具の取付け作業の際、小さく束ねた線条体のクリップを外し又はテープをはがしてから、取付け治具を移動させれば、当該線条体が伸びた状態で隣接する鳥害防止具を配電線に取り付けることができる。したって、線条体は鳥害防止具の配電線への取付けまで小さく束ねられているため、作業の邪魔にならず、風で舞い上がったり、垂れ下がったりせず、他物に巻き付く恐れがなく、作業がしやすい。
【００１６】
また、請求項３の発明によれば、取付け治具の両端部の吊り下げ腕のフック部が開閉自在となっているため、当該取付け治具が配電線からむやみに外れる恐れがない。
【００１７】
また、請求項４の発明によれば、取付け治具が絶縁材でできているため、これらに作業者が接触しても、感電する恐れがなく、安全である。
【００１８】
配電線の架渉線配列は、横配列か縦配列の三相三線式か単相二線式となっている。上記方法に使用する取付け治具を配電線に取り付けた場合、横配列の配電線では風等による横ぶれで、左右の配電線に接触したり、縦配列の場合は、相間によって下の電線に治具が接触するおそれがある。そこで、請求項５の発明のように取付け治具の大きさを、現場の状況によって容易に調整できるようにすることにより、上下、左右の隣接する配電線に接触する恐れがない。
【図面の簡単な説明】
【００１９】
【図１】この発明の実施の形態例１の方法に用いる取付け治具に、多数の鳥害防止具を取付け、これを配電線に吊るした状態の正面図である。
【図２】この発明の実施の形態例１の取付け治具を使った鳥害防止具の取付け方法を示す正面図である。
【図３】この発明の実施の形態例１の方法に用いる取付け治具の変形例を示し、当該取付け治具に多数の鳥害防止具を取付け、これを配電線に吊るした状態の正面図である。
【図４】この発明の実施の形態例１の取付け治具が用いられる鳥害防止装置の正面図である。
【図５】この発明の実施の形態例１の取付け治具が用いられる鳥害防止具を示す図であり、（Ａ）図は正面図であり、（Ｂ）図は側面図である。
【発明を実施するための形態】
【００２０】
この発明の実施の形態例１の取付け治具を図１に基づいてついて説明する。
【００２１】
この実施の形態例１の取付け治具１５は、パイプ状の横棒状本体１６の両端部に、吊り下げ腕１７をそれぞれ設け、当該各吊り下げ腕１７の上部はフック部１８を形成している。当該各フック部１８は、配電線Ｂの外径より相当大きく、配電線Ｂの外周に取り付けられたスリーブやがいし等の吊架物を通過できる大きさである。そして、これらの各フック部１８はその先端が開閉自在となっている。
【００２２】
また、前記横棒状本体１６の長さは約１．５ｍであり、前記鳥害防止具Ａを１０個並べることができる。また、横棒状本体１６から両端部のフック部１８の頂部までの高さは３０ｃｍであるから、電柱における高圧電線、動力線及び低圧線での線間距離以下であるため、作業中、他の電線と接触する恐れがない。
【００２３】
次に、前記取付け治具１５を用いて配電線Ｂに鳥害防止具Ａ及び線条体Ｃから成る鳥害防止装置を取付ける方法を図２に基づいて説明する。
【００２４】
隣接する電柱間の配電線Ｂに取り付ける鳥害防止装置は、線条体Ｃの３ｍおきに鳥害防止具Ａを配置するもので、上記電柱間の距離が３０ｍの場合、まず、地上で鳥害防止具Ａを１０個用意し、前記線条体Ｃの３ｍごとに各鳥害防止具Ａの上部の線条体取付け部に線条体Ｃを係止して、１０個の鳥害防止具Ａを連結する。
【００２５】
これらの鳥害防止具Ａを、図１に示すように、前記取付け治具１５の横棒状本体１６に順に取り付ける。その際、隣接する鳥害防止具Ａを結ぶ線条体Ｃを小さく丸めた束にしてテープ（図示省略）で仮止めしておく。この状態で配電線Ｂに当該取付け治具１５を取付ける。それには、両端部の吊り下げ腕１７の上端のフック部１８を一旦開いて配電線Ｂに掛け、その後、各フック部１８を閉じる。これにより各フック部１８が配電線Ｂからむやみに外れる恐れがなく、取付け治具１５を配電線Ｂに吊り下げることができる。
【００２６】
また、前記各フック部１８は配電線Ｂに対して大径であるため、配電線Ｂ上を滑らせて移動することが容易にできる。そして前記取付け治具１５の進行方向（矢印Ｐ）と反対端の鳥害防止具Ａを取り出して配電線Ｂに取り付け、前記取付け治具１５を配電線Ｂに沿って図２の矢印Ｐ方向に移動させ、前記鳥害防止具Ａから導出した線条体Ｃが緊張した時点で取付け治具１５を止め、次に並んだ鳥害防止具Ａを取付け治具１５から外して配電線Ｂに取り付ける。
【００２７】
この様にして、鳥害防止具Ａの配電線Ｂへの取付け、取付け治具１５の移動を順に繰り返して最後に鳥害防止具Ａを配電線Ｂに取り付けると、配電線Ｂに沿って一定間隔で鳥害防止具Ａが並び、これらの各鳥害防止具Ａの間に、配電線Ｂと間隔をあけて略平行に線条体Ｃが配された鳥害防止装置が形成される。
【００２８】
また、上記実施の形態例１では、取付け治具１５の横棒状本体１６に鳥害防止具Ａを１０個取り付けているが、これに限らず、例えば、１５個の鳥害防止具Ａを取付けるように横棒状本体１６を長くしても良い。また、当該取付け治具１５を２個用意し、これらを連結しても良い。要は電柱間の径間の長さに応じて鳥害防止具Ａを並べる個数が異なるが、並べる数の鳥害防止具Ａを仮止めできる取付け治具１５を１台から数台用意しておけば、一度の作業で電柱間にすべての鳥害防止具Ａを取付けることができる。
【００２９】
また、この方法によれば、電柱の高圧線で鳥害防止装置を取付けている作業の間に、他の作業者が動力線用又は低圧用の取付け治具に、線条体の一定間隔に鳥害防止具を連結した複数の鳥害防止具を取付ける作業を地上で行い、作業の効率化を図ることができる。
【００３０】
また、前記実施の形態例１では、隣接する鳥害防止具Ａを連結する線条体Ｃを小さく丸くして束ね、これをテープで仮固定しているが、これはテープに限らず、クリップで仮止めしてもよい。この様に線条体Ｃを仮止めしておけば、当該線条体Ｃが付近の物に絡まったりせず、作業がし易い。
【００３１】
また、図３は、上記取付け治具１５の変形例を示す。この例では、取付け治具１５´の大きさを調整できるようにしている。すなわち、上記横棒状本体１６´の長さを伸縮自在に調整できる長さ調整手段１６ａを有し、また、吊り下げ腕１７´にも長さを伸縮自在に調整できる長さ調整手段１７ａを有したものである。
【００３２】
これにより当該取付け治具１５´を配電線Ｂに取り付けた際の現場の状況により上記取付け治具１５´の大きさを調整できるため、上下、左右の隣接する配電線に接触する恐れがない。
【００３３】
さらに上記実施の形態例１では、各鳥害防止具Ａ間に線条体Ｃを連結しているが、この線条体Ｃは、ワイヤーやラインロープ等を含む概念である。
【符号の説明】
【００３４】
Ａ    鳥害防止具                Ｂ      配電線
Ｃ    線条体
１    電線取り付け部            
１ａ  上片                      １ｂ    下片
１ｃ  縦片                      ２      取入れ口
３      扉                      ４      挿通孔
５      締め付け板              ６      ねじ棒
６ａ    ネジ頭部                ７      ワイヤー取付け部
８      起立板                  ９      ガイド孔
１０    ワイヤー保持部          １１    係止溝
１２    把持片                  
１５    取り付け治具            １６    横棒状本体
１６´  横棒状本体              １６ａ  長さ調整手段    
１７    吊り下げ腕              １７´  吊り下げ腕  
１７ａ  長さ調整手段            １８    フック部  
【図１】
2017175833.tif 000003
【図２】
2017175833.tif 000004
【図３】
2017175833.tif 000005
【図４】
2017175833.tif 000006
【図５】
2017175833.tif 000007